(57)【特許請求の範囲】
【請求項１】
容器本体と蓋とが一開口縁部にて連結され、前記容器本体と前記蓋の開口周縁部に外方へ突出した突縁が閉止時に互いに接面状態となるようにそれぞれ形成され、この接面状態の突縁が粘着性固定部材を渡設することによって相互に固定される包装用容器において、前記容器本体及び前記蓋の突縁の一部又は全ての部分に凹凸形状部が、容器本体の開口部を蓋により閉止した時にそれぞれの凹形部と凸形部とが相互にズレた位置に配位するように連続的にそれぞれ設けられてなり、この凹凸形状部の選択された対面する凹形部と凸形部との間に跨って粘着性固定部材を渡設することによって、密接状態にある前記突縁間が固定されるようにしたことを特徴とする突縁固定包装用容器。
【請求項２】
前記容器本体及び前記蓋の凹凸形状部が、それぞれ波形状（アール形状）に形成されてなる請求項１に記載された突縁固定包装用容器。
【発明の詳細な説明】
【０００１】
【発明の属する技術分野】
本発明は、一開口縁部にて相互に連結された容器本体と蓋の突縁を固定するように構成された突縁固定包装用容器に関する。
【０００２】
【従来の技術】
従来より、容器本体と蓋とが樹脂材を真空成型法等の方法により一体的に成型された包装用容器は、フードパック等と称され、たまご等の包装用として多々使用されている。
【０００３】
このような包装用容器については、容器本体と蓋の開口周縁部に外方へ突出した突縁が、容器本体の開口部を蓋で閉止した状態で互いに接面状態となるように形成されている。この接面状態の各突縁間に粘着テープ、シール、ラベル等の粘着性固定部材を渡設して、容器本体に対する蓋による閉止状態を維持されるように相互に固定されるのが、一般的である。このような突縁固定包装用容器における閉止固定構成は、容易かつ迅速に、しかも確実に容器本体に蓋を固定できる点で有利である。また、これは、近年の省資源化等や、この種の包装用容器を軽量化等により経済的化の要請のために、包装用容器の器壁の肉厚がより薄肉化される傾向にも適合している。
【０００４】
【発明が解決しようとする課題】
しかしながら、容器本体及び蓋の突縁間が、粘着テープ等の固定部材により一又は数カ所に止め付けられるだけでは、その固定状態は不十分である。即ち、図８に示す従来の突縁固定包装用容器３０のように、粘着テープ３６による粘着が各突縁３２、３４の外方面でのみなされるから、粘着テープ３６が設けられていない箇所の突縁３２、３４との間が、容器本体３１と蓋３３との連結部３５での蓋３０が開く向きに作用する弾性作用や、収容物の重みで簡単に開いて、その部分に間隙３７が生じてしまう欠点があるからである。
【０００５】
そこで、従来、粘着テープによって十分な固定状態を確保するために、図９に示すように、容器本体３１及び蓋３３の接面状態にある突縁３２、３４の正面側に沿って長寸の粘着テープ３８を渡設すると共に、この粘着テープ３８の両端部が突縁３２、３４の側部の側にまで及ばせる止め付け構成が採用されていた。しかし、これでは、粘着テープ３８による止め付け作業を正確に行なうのは長時間を要しまた面倒であったし、そのためには大量の粘着テープ等の固定部材が必要であった。これでは、前記した省資源化にも相反する結果となる。
【０００６】
なお、閉止状態にある突縁間をゴム輪やホッチキスの芯で止め付けて固定する構成も採用されている。しかし、ゴム輪による場合、前記した連結部での弾性作用により、それ自体の弾性に基づいて突縁の接面状態を安定した状態で固定することはできない。また、ホッチキスによる場合、その芯により止め付けられた部分以外でも、前記した連結部での弾性作用により、各突縁間に隙間が生じることが多い。さらに、ホッチキスによる場合には、前記した器壁の薄肉化により、その芯が貫通した器壁部分が削裂し易いという欠点もある。
【０００７】
また、特開平８−３４４２４号公報に開示されている包装用容器のように、容器本体及び蓋の縁部に、相互に係合する係止部がそれぞれ設けられた構成も開発されている。このような係止構成のみで突縁間を固定する場合には、前記した器壁の薄肉化により、容器本体に対する蓋の閉止固定状態を十分に得ることはできない。また、このような欠点は、実開昭６２−３１０１０号公報に開示されているような、容器本体及び蓋の突縁に互いに嵌合する凹凸部を設けた構成についても同様である。
【０００８】
そこで、本発明では、より少量の粘着テープ等の固定部材により、簡単な作業より容器本体及び蓋の突縁間の全体を安定した閉止状態で固定できる突縁固定包装用容器を簡単な構成で提供することを目的とした。
【０００９】
【課題を解決するための手段】
上記した目的を達成するため、本発明の突縁固定包装用容器は、容器本体と蓋とが一開口縁部にて連結され、前記容器本体と前記蓋の開口周縁部に外方へ突出した突縁が閉止時に互いに接面状態となるようにそれぞれ形成され、この接面状態の突縁が粘着性固定部材を渡設することによって相互に固定される包装用容器において、前記容器本体及び前記蓋の突縁の一部又は全ての部分に凹凸形状部が、容器本体の開口部を蓋により閉止した時にそれぞれの凹形部と凸形部とが相互にズレた位置に配位するように連続的にそれぞれ設けられてなり、この凹凸形状部の選択された対面する凹形部と凸形部との間に跨って粘着性固定部材を渡設することによって、密接状態にある前記突縁間が固定されるようにしたことを特徴とする。
【００１０】
上記した本発明の突縁固定包装用容器によれば、容器本体及び蓋の突縁の一部分又は全ての部分にそれぞれ凹凸形状部を設けてなり、容器本体が蓋により閉止された時に、これらの凹凸形状部の各凹形部と各凸形部とが相互にズレた位置にそれぞれ配位する。従って、粘着性固定部材がこれらの各凹凸形状部の選択された対面する凹形部と凸形部との間に跨る位置に渡設される場合には、粘着性固定部材は、その粘着面の一部が容器本体又は蓋いずれか一方の凸形部内方面上に十分に及ぶ状態で、容器本体及び蓋の突縁間を固定することができる。
【００１１】
このように粘着性固定部材による粘着域が拡大することにより、容器本体と蓋の閉止状態にある突縁間の接面状態が安定的に確保される。また、凹凸形状部は、容器本体及び蓋の各突縁を切り欠いた状態で設けられるから、この突縁固定包装用容器について、一種の意匠的な作用を効果的に発揮させることにもなる。
【００１２】
上記した本発明の突縁固定包装用容器において、各突縁の凹凸形状部は、一対の凸形部と凹形部とにより構成されているものであってもよいが、複数対の凸形部と凹形部とにより構成されていることが好ましい。この複数対からなる凹凸形状部は、容器本体及び蓋の突縁の一部に設けられている場合に限らず、突縁の全周部に渡り設けられている場合も含まれる。
【００１３】
凹凸形状部が複数対の凸形部と凹形部とが連続的に形成されている場合には、粘着性固定部材を取り付けることができる範囲が拡がり、作業者はその凹凸形状部が設けられた範囲内のいずれかの箇所に粘着性固定部材を配設すればよいから、固定作業を容易かつ迅速に行うことが可能となる。
【００１４】
凹凸形状部の凸形部と凹形部の形状については、上記した粘着性固定部材による固定作用が得られる限り、波形状（アール状）、矩形状等の多様な形状とすることができる。
【００１５】
粘着性固定部材としては、柔軟質で少なくとも片面に粘着部乃至貼着部を有する部材であれば、粘着テープのほか、シールやラベル等の粘着性材を利用することができる。また、包装用容器の各凹凸形状部に対する粘着性固定部材を渡設する箇所は、各凹凸形状部の一部であっても、複数あるいは全部であってもよい。
【００１６】
本発明の突縁固定包装用容器は、同種の包装用容器に用いられている、樹脂材、紙材、金属薄材等のような既知の材料からなるものを対象とすることができ、樹脂材には、発泡スチロールのような発泡材によるものも含まれる。また、この突縁固定包装用容器の用途は、フードパック等の食品類を収容するものに限らず、多様な収容物を収容できるものを対象とするものである。
【００１７】
【発明の実施の形態】
次に、本発明の実施の形態を図に基づいて説明する。第一の実施の形態に係る突縁固定包装用容器Ａは、図１に示すように、容器本体１と蓋４とが一開口縁部にて連結部７により一体的に連結されてなる。この突縁固定包装容器Ａは、プラスチック材を真空成型法により薄肉に成形することにより得ることができ、フードパックとして使用することができる。
【００１８】
図２に示すように、蓋４については、蝶番機能を有する連結部７で曲折して容器本体１の開口部１ａを閉止状態にすることができる。なお、成形時に、容器本体１に対して蓋４が開放された状態であるため、この閉止状態において、連結部７では蓋４を開放させる向きに弾性作用が生じている。
【００１９】
容器本体１の開口周縁部には突縁２、蓋４の開口周縁部には突縁５が、それぞれ外方へ突出した状態で設けられており、これらの突縁２、５は、蓋４が閉止された時には、互いに接面状態となる（図２参照。）。
【００２０】
これらの突縁２、５の正面の中央部分に、凹凸形状部３、６がそれぞれ設けられている。これらの凹凸形状部３、６は、アール状の凸形部３ａ、６ａ及び凹形部３ｂ、６ｂがそれぞれ複数形成されてなり、それぞれ全体として波形状を呈してている。しかも、凹凸形状部３、６は、容器本体１の開口部１ａを蓋４により閉止した時に、それぞれの凸形部３ａ、６ａと凹形部３ｂ、６ｂとが相互にズレた位置に配位するようにそれぞれ設けられている。従って、接面状態にある突縁２、５について、凸形部３ａと凹形部６ｂの組、あるいは凸形部６ａと凹形部３ｂの組について、凸形部３ａ及び突形部６ａの内向面がそれぞれ露出状態となる。
【００２１】
接面状態の突縁２、５の間の凹凸形状部３、６について、その一組の突形部３ａと凹形部６ｂに粘着テープ８を渡設することにより、突縁２、５の間を固定することができる。この場合、図３にも示すように、粘着テープ８の粘着域が、凸形部３ａの露出面３ｃにまで拡大されているため、突縁２、５の間が粘着テープ８によって強固に固定される。これにより、容器本体１に対する蓋４による閉止状態は安定化されるから、突縁２、５の接面部での間隙の発生が抑制される。このように、極めて少量の粘着テープ８を効果的に使用することができるから、粘着テープ等の固定部材の使用量を大幅に低減することができる。これは、前記した省資源化の要請に適うと共に、経済的な包装用容器を提供できることになる。
【００２２】
また、各凹凸形状部３、６は、前記したように複数の凸形部３ａ、６ａ及び凹形部３ｂ、６ｂによって構成され、いずれの組に対しても同様の作用が発揮され、粘着テープ８の渡接位置について厳密性は必要とされないから、その取り付け作業を容易かつ迅速に行なうことができる。また、凹凸形成部３、６の形成により、突縁固定包装用容器Ａの意匠的効果を高める作用も発揮される。
【００２３】
図４に示す第二の実施の形態に係る突縁固定包装用容器Ｂは、突縁固定包装用容器Ａと同様に、容器本体１０と蓋１３とが一開口縁部にて連結部１６により一体的に連結されてなる。
【００２４】
容器本体１０の突縁１１には凹凸形状部１２、また蓋１３の突縁１４には凹凸形状部１５が、それぞれ設けられてなる。これらの凹凸形状部１２、１５は、正面位置にそれぞれ台形状の凸形部１２ａ、１５ａと凹形部１２ｂ、１５ｂの複数が連続的に形成されてなる。
【００２５】
図５に示すように、これらの凹凸形状部１２、１５は、容器本体１０の開口部１０ａを蓋１３により閉止した時に、それぞれの凸形部１２ａ、１５ａと凹形部１２ｂ、１５ｂとが相互にズレた位置に配位するようにそれぞれ設けられている。従って、接面状態にある突縁１１、１４について、凸形部１２ａと凹形部１５ｂの組、あるいは凸形部１５ａと凹形部１２ｂの組について、凸形部１２ａ及び突形部１５ａの内向面がそれぞれ露出状態となる。
【００２６】
従って、凹凸形状部１２、１５の間の一部に粘着テープ８を渡設することにより、接面状態にある突縁１１、１４の間を突縁固定包装用容器Ａの場合と同様に固定できると共に、前記同様の作用が発揮される。
【００２７】
図６に示す第三の実施の形態に係る突縁固定包装用容器Ｃは、突縁固定包装用容器Ａと同様に、容器本体２０と蓋２３とが一開口縁部にて連結部２６により一体的に連結されてなる。
【００２８】
容器本体２０の突縁２１には凹凸形状部２２、また蓋２３の突縁２４には凹凸形状部２５が、それぞれ設けられてなる。これらの凹凸形状部２２、２５は、ほぼ全周部の位置にアール状の凸形部２２ａ、２５ａ及び凹形部２２ｂ、２５ｂの複数が、それぞれ波形状を呈するように連続的に形成されてなる。
【００２９】
図７に示すように、これらの凹凸形状部２２、２５は、容器本体２０の開口部２０ａを蓋２３により閉止した時に、それぞれの凸形部２２ａ、２５ａと凹形部２２ｂ、２５ｂとが相互にズレた位置に配位するようにそれぞれ設けられている。従って、接面状態にある突縁２１、２４について、凸形部２２ａと凹形部２５ｂの組、あるいは凸形部２５ａと凹形部２２ｂの組について、凸形部２２ａ及び突形部２５ａの内向面がそれぞれ露出状態となる。
【００３０】
従って、凹凸形状部２２、２５の間の一部に粘着テープ８を渡設することにより、接面状態にある突縁２１、２４の間を突縁固定包装用容器Ａの場合と同様に固定でき、同様の作用が発揮されるが、さらに、粘着テープ８を突縁固定包装用容器Ｃの側面位置にも渡設することにより、その固定状態を一層高めることができる。また、凹凸形状部２２、２５が、突縁２１、２４のほぼ全周部に形成されるから、突縁固定包装用容器Ｃの意匠的効果がより一層高められることになる。
【００３１】
【発明の効果】
上述したように本発明は構成されるから、次のような効果が発揮される。本発明の突縁固定包装用容器は、容器本体及び蓋の突縁の一部分又は全ての部分に凹凸形状部が、容器本体の開口部を蓋により閉止した時にそれぞれの凹形部と凸形部とが相互にズレた位置に配位するようにそれぞれ連続的に設けられてなり、これらの各凹凸形状部に粘着性固定部材を跨がる状態で渡設して、前記密接状態の突縁間が固定されるようにしたから、粘着性固定部材による粘着部分が拡大するため、各突縁間を安定した状態で固定することができる。従って、粘着性固定部材が、各突縁間の一部に跨る状態で渡設される場合でも、各突縁間の固定状態を十分に確保することができる。さらに、突縁に凹凸形状部が設けられることにより、突縁固定包装用容器について意匠的効果を高める効果が発揮される。
【００３２】
各凹凸形状部が、複数の連続的に形成された凸形部と凹形部とによってなることから、粘着性固定部材の渡設できる範囲が拡がることになるから、粘着性固定部材の取り付け作業を容易かつ迅速に行うことができる。
【００３３】
また、各凹凸形状部の凹凸形状を波形（アール状）状に形成する場合には、蓋の閉蓋操作を安全に行なうことが可能となると共に、突縁固定包装用容器の意匠的効果をより高めることができる。
【図面の簡単な説明】
【図１】本発明の第一の実施の形態に係る突縁固定包装用容器の展開平面図である。
【図２】同上の突縁固定包装用容器の閉蓋時の状態を説明する平面図である。
【図３】同上の突縁固定包装用容器の閉蓋時の状態を説明する部分拡大縦断面図である。
【図４】本発明の第二の実施の形態に係る突縁固定包装用容器の展開平面図である。
【図５】同上の突縁固定包装用容器の閉蓋時の状態を説明する平面図である。
【図６】本発明の第三の実施の形態に係る突縁固定包装用容器の展開平面図である。
【図７】同上の突縁固定包装用容器の閉蓋時の状態を説明する平面図である。
【図８】従来の突縁固定包装用容器の閉蓋時の状態を説明する側面図である。
【図９】従来の突縁固定包装用容器の閉蓋時の状態を説明する側面図である。
【符号の説明】
Ａ、Ｂ、Ｃ  突縁固定包装用容器
１、１０、２０  容器本体
２、５、１１、１４、２１、２４  突縁
３、６、１２、１５、２２、２５  凹凸形状部
３ａ、６ａ、１２ａ、１５ａ、２２ａ、２５ａ  凸形部
３ｂ、６ｂ、１２ｂ、１５ｂ、２２ｂ、２５ｂ  凹形部
７、１６、２６  連結部
８  粘着テープ
【図１】
0003643297.tif 000002
【図２】
0003643297.tif 000003
【図３】
0003643297.tif 000004
【図４】
0003643297.tif 000005
【図５】
0003643297.tif 000006
【図６】
0003643297.tif 000007
【図７】
0003643297.tif 000008
【図８】
0003643297.tif 000009
【図９】
0003643297.tif 000010